(57)【特許請求の範囲】
【請求項１】
内部に加熱室が設けられた機器本体と、加熱室の底部に取り付けられた容器支持台と、加熱室内に収納され調理材料を収容する練り容器と、当該練り容器の底部に取り付けられ練り容器を加熱室内に収納したとき前記容器支持台と結合する練り容器台と、機器本体の開放口を封止する蓋と、を有し、
前記練り容器の中央に回転軸を有し、当該回転軸を中心に回転することにより食材を攪拌する羽根を有する自動製パン機において、
少なくとも羽根の一部が練り容器に内接するように、前記羽根の穴部に適度な粘弾性と耐熱性を有するゴム状の部材の突起を勘合することにより前記羽根に前記ゴム状の部材を着脱可能に構成されていることを特徴とする自動製パン機。
【請求項２】
内部に加熱室が設けられた機器本体と、加熱室の底部に取り付けられた容器支持台と、加熱室内に収納され調理材料を収容する練り容器と、当該練り容器の底部に取り付けられ練り容器を加熱室内に収納したとき前記容器支持台と結合する練り容器台と、機器本体の開放口を封止する蓋と、を有し、
前記練り容器の中央に回転軸を有し、当該回転軸を中心に回転することにより食材を攪拌する羽根を有する自動製パン機において、
前記羽根は、羽根全部が適度な粘弾性と耐熱性を有する材料で構成され前記回転軸から異なる方向に分岐した複数の翼を有し、片方の翼の長さを前記練り容器長径に、他方の翼の長さを前記練り容器短径に合わせたことを特徴とする自動製パン機。
【発明の詳細な説明】
【技術分野】
【０００１】
本発明は、製パン工程の途中で、調理材料中にイーストやレーズン等の副材料を自動投入することが可能な家庭用に使用される製パン機及び羽根に関する。
【背景技術】
【０００２】
従来、この種の自動製パン機として種々の構造のものが知られている（例えば、特許文献１：特許第３９２８５９２号公報及び特許文献２：特開２０１１−０１０９１０号公報参照）。
【０００３】
図１−ｂは、従来の自動製パン機の縦断面図であり、図１−ａは、その斜視図である。図１−ｂ及び図１−ａにおいて、従来の自動製パン機は、有底筒状の機器本体１を備えている。機器本体１内には加熱室３１が設けられ、当該加熱室３１内にパン生地などの調理材料を収容する練り容器７が着脱自在に取り付けられている。
【０００４】
機器本体１の前方上部には、種々の電子部品を備える操作部１９が設けられている。操作部１９は、複数の調理コースから特定の調理コースを選択可能な選択部１９ａと、選択部１９ａで選択された情報などの各種情報を表示する表示部１９ｂとを備えている。
【０００５】
機器本体１の後方上部には、ヒンジ部３２が設けられている。ヒンジ部３２には、加熱室３１の上部開口部を開閉可能な蓋１３が回動自在に取り付けられている。蓋１３は、蓋本体１４と、外蓋１５とを備えている。蓋本体１４には、イーストなどの比較的体積の小さな副材料を収容する副材料容器１７と、レーズン、ナッツなどの比較的体積の大きな副材料を収容する副材料容器１６とが取り付けられている。副材料容器１７及び１６は、練り容器７の上方に配置されている。外蓋１５は、副材料容器１７及び１６の上部開口部を開閉可能に取り付けられている。
【０００６】
副材料容器１６の底壁は、開閉弁１６ｂで構成されている。開閉弁１６ｂは、副材料容器１６に収容された副材料を練り容器７内に投入することができるように回動可能に構成されている。また、開閉弁１６ｂは、副材料容器１６の下部開口部を塞ぐようにバネ（図示せず）により付勢されている。
【０００７】
選択部１９ａ又は表示部１９ｂの下方には、ソレノイド１８が配置されている。ソレノイド１８のプランジャ１８ａは、操作部１９の側壁１９ｃ及び蓋本体１４の側壁１４ｂを貫通し、蓋本体１４内へ移動可能に設けられている。開閉弁１６ｂは、ソレノイド１８のプランジャ１８ａが蓋本体１４内へ移動するとき、プランジャ１８ａと当接するリンク部材１８ｂに押され、バネの弾性力に抗して回転する。これにより、副材料容器１６の副材料が練り容器７に投入される。
【０００８】
副材料容器１７についても副材料容器１６と同様の機構にて副材料を投入する。該機器本体１の内部にヒーターケース側面１ａとヒーターケース底面１ｂからなる加熱室３１と、加熱室３１の底部に取り付けられ有底筒状の容器支持台４と、加熱室３１内に収納され、調理材料を収容する練り容器７と、練り容器７の底部に取り付けられ練り容器７を加熱室３１内に収納したとき、容器支持台４とバヨネット結合する筒状の練り容器台７ｃを有し、有底筒状の機器本体１の開放口を閉じる蓋１３を有し、蓋１３の機器本体１側に内蓋１４を有している。
【０００９】
加熱室３１内の練り容器７の側面周囲にヒーター１１を配置しており、ヒーター発熱部の中央はセラミック碍子を介してヒーターケース側面１ａに固定されている。蓋１３を開けて、強力粉や水などのパン材料を練り容器７内に投入し、蓋１３を閉じて、操作部１９の選択部１９ａで、表示部１９ｂを確認しながらパン焼成プログラムを選択決定し、開始する。選択したパン焼成プログラムを制御部が実行する命令を発信し、通常は練り容器７内に投入されたパン材料を通常は金属製の羽根９が混練し、ねかしや発酵工程が行われた後にヒーター１１が通電されて加熱室３１内が加熱されパンが焼成される。イーストや先述の副材料などはパン焼成プログラムに従って、適時投入される。
【００１０】
従来の家庭用製パン機ではパン生地を攪拌したり練ったりするための金属製の羽根を主に用いるのが一般的であった。
【００１１】
近年、家庭用製パン機のメニューが多様化する中にあって、レーズン等の副材料をパン生地に混入したりするだけでなく、パン生地とは異なる麺やもちを捏ねるための硬化樹脂製の羽根を用いる場合もあるが、チョコレートやキャラメル等を加熱拡販するのにも用いることも考えられる。
【００１２】
しかしながら、チョコレートなどを従来の構成の家庭用製パン機で加熱攪拌する場合、従来の金属や樹脂の剛体で主に構成される羽根では、攪拌中に練り容器の内面に付着したチョコレート等の材料が加熱され過ぎることが懸念される。
【００１３】
従来、パン材料の主なもの（パン生地になるもの）を混練するのに適した羽根の形状が提案されたり（特開２００９−２９１２２０号公報）、粘度の高いペースト状の材料を攪拌後に効率良く排出するための攪拌翼が提案されている（特開平８−２７５８８８）が、前者はパン生地を混練する目的で提案されているため、チョコレート等のペースト状で粘度の高い材料が練り容器表面に付着残留して過加熱されるのを回避する効果は期待できない。
【００１４】
また、後者は、対象材料をペースト状で粘度の高いものを想定しているものの、材料を攪拌容器内から効率良く排出することを目的にしており、飛散等により容器側面に付着残留したために過加熱されて焼け焦げる等の問題を回避することは期待できない。
【先行技術文献】
【特許文献】
【００１５】
【特許文献１】特開２００９−２９１２２０号公報
【特許文献２】特開平８−２７５８８８号公報
【発明の概要】
【発明が解決しようとする課題】
【００１６】
従来の金属や樹脂の剛体で主に構成される羽根では、羽根は練り容器と接触していない。チョコレートなどを従来の構成の家庭用製パン機で加熱攪拌した場合、チョコレート等を加熱すると、ペースト状になる食材は粘性が高く付着力が大きいために、練り容器の内面、特に内側面に付着残留し続け、乾燥し過ぎて、品質が劣化する。
【００１７】
また、加熱攪拌調理時間を短縮するために練り容器温度を高くして調理を行った場合、上記の乾燥の度合いが増すばかりか、かなりの高温になれば焼け焦げる危険もある。また、同じく調理時間短縮のために羽根をより高速で回転させた場合、チョコレート等が飛散して練り容器側面に付着する機会が増加すると考えられる。チョコレート等の材料が加熱され過ぎることが懸念される。
【００１８】
また、加熱攪拌調理完了後にチョコレート等の材料を取り出す場合、従来の（練り）羽根をそのまま用いて場合には練り容器側面に幾分のチョコレートが付着残留しており、無駄にしたくない場合は別途ヘラ等でこそぎ採ることになり、手間がかかる。また、容器側面に残留したチョコレート等が手や袖に付いたりすることが懸念される。
【課題を解決するための手段】
【００１９】
請求項１に記載の発明は、内部に加熱室が設けられた機器本体と、加熱室の底部に取り付けられた容器支持台と、加熱室内に収納され調理材料を収容する練り容器と、当該練り容器の底部に取り付けられ練り容器を加熱室内に収納したとき前記容器支持台と結合する練り容器台と、機器本体の開放口を封止する蓋と、を有し、前記練り容器の中央に回転軸を有し、当該回転軸を中心に回転することにより食材を攪拌する羽根を有する自動製パン機において、少なくとも羽根の一部が練り容器に内接するように、前記羽根の穴部に適度な粘弾性と耐熱性を有するゴム状の部材の突起を勘合することにより前記羽根に前記ゴム状の部材を着脱可能に構成されていることを特徴とする。
【００２６】
請求項２に記載の発明は、内部に加熱室が設けられた機器本体と、加熱室の底部に取り付けられた容器支持台と、加熱室内に収納され調理材料を収容する練り容器と、当該練り容器の底部に取り付けられ練り容器を加熱室内に収納したとき前記容器支持台と結合する練り容器台と、機器本体の開放口を封止する蓋と、を有し、前記練り容器の中央に回転軸を有し、当該回転軸を中心に回転することにより食材を攪拌する羽根を有する自動製パン機において、前記羽根は、羽根全部が適度な粘弾性と耐熱性を有する材料で構成され前記回転軸から異なる方向に分岐した複数の翼を有し、片方の翼の長さを前記練り容器長径に、他方の翼の長さを前記練り容器短径に合わせたことを特徴とする自動製パン機である。
【発明の効果】
【００３１】
本発明は、チョコレート等の加熱するとペースト状の粘性液体になる材料を攪拌する際に以下のような効果を奏する。本願発明では、羽根には適度な粘弾性と耐熱性を有する材料を用い、練り容器内面、特に側面に接触せしめている。そのため加熱攪拌中に練り容器内面に飛散したり付着したりしたチョコレート等の材料を回転の都度にこそぎ取ることが可能であり、材料が必要以上に練り容器内面で保持され加熱乾燥されて過乾燥な状態や焼け焦げた状態になることを抑制することができる。
【００３２】
従来の家庭用製パン機ではパン生地を攪拌したり練ったりするための金属製の羽根を主に用いるのが一般的であった。
【００３３】
近年、家庭用製パン機のメニューが多様化する中にあって、レーズン等の副材料をパン生地に混入したりするだけでなく、パン生地とは異なる麺やもちを捏ねるための硬化樹脂製の羽根を用いる場合もあるが、チョコレートやキャラメル等を加熱拡販するのにも用いることも考えられる。
【００３４】
しかしながら、チョコレートなどを従来の構成の家庭用製パン機で加熱攪拌する場合、従来の金属や樹脂の剛体で主に構成される羽根では、攪拌中に練り容器の内面に付着したチョコレート等の材料が加熱され過ぎることが懸念される。
【００３５】
そこで、本発明では、チョコレート等のペースト状の粘性液体材料専用の（練り）羽根を提案する。本発明では、羽根の先端は適度な弾性をもって練り容器内面、特に側面に接触した状態を保ちながら羽根といっしょに練り容器の中心に位置する回転軸を中心に回転運動を行う。
【００３６】
そのため加熱攪拌中に練り容器内面に飛散したり、羽根によって押し上げられたりして付着したチョコレート等の食材を回転の都度こそぎ取るために、食材が必要以上に練り容器内面で保持され加熱乾燥されて過乾燥な状態や焼け焦げた状態になることを抑制することができる。
【図面の簡単な説明】
【００３７】
【図１】一般的な家庭用パン焼成機の斜視図である。
【図２】一般的な家庭用パン焼成機の断面図である。
【図３】従来の羽根の斜視図である。
【図４】従来の羽根と練り容器の位置関係を示す斜視図である。
【図５】第１実施例装置の羽根の斜視図である。
【図６】第１実施例装置の羽根と練り容器の位置関係を示す斜視図である。
【図７】第２実施例装置の羽根の斜視図である。
【図８】第２実施例装置の羽根の斜視図である。
【図９】第３実施例装置の羽根の斜視図である。
【図１０】第３実施例装置の羽根と練り容器の位置関係を示す斜視図である。
【図１１】第４実施例装置の羽根の斜視図である。
【図１２】第４実施例装置の羽根と練り容器の位置関係を示す斜視図である。
【図１３】第５実施例装置の羽根の斜視図である。
【図１４】第５実施例装置の羽根と練り容器の位置関係を示す斜視図である。
【図１５】第６実施例装置の羽根の斜視図である。
【図１６】第６実施例装置の羽根の斜視図である。
【図１７】第６実施例装置の羽根の斜視図である。
【図１８】第７実施例装置の羽根の斜視図である。
【図１９】第８実施例装置の羽根の斜視図である。
【図２０】第８実施例装置の羽根と練り容器の位置関係を示す斜視図である。
【図２１】第９実施例装置の羽根の斜視図である。
【図２２】第９実施例装置の羽根と練り容器の位置関係を示す斜視図である。
【図２３】第１０実施例装置の羽根の斜視図である。
【図２４】第１０実施例装置の羽根と練り容器の位置関係を示す斜視図である。
【図２５】第１１実施例装置の羽根の斜視図である。
【図２６】第１１実施例装置の羽根と練り容器の位置関係を示す斜視図である。
【発明を実施するための形態】
【００３８】
以下、本発明の実施の形態と効果について、図面を参照しながら説明する。
【実施例】
【００３９】
図１は本実施例装置の家庭用パン焼成機の斜視図であり、図２は本実施例装置の家庭用パン焼成機の断面図である。尚、図１及び図２に示す家庭用パン焼成機は、従来技術で説明した従来の家庭用パン焼成機と同じ構造であるために説明を省略する。
【００４０】
（練り）羽根は通常金属あるいは樹脂剛体で、羽根は練り容器の底面に一定のクリアランスを保ちながら回転軸を中心に回転運動し、側面とは底面よりも大きくクリアランスを保っている。初期には回転するこの羽根によってパン材料の強力粉や水等が混ぜられ、パン材料の粘度がある程度高くなるにつれいわゆる生地の状態になり、羽根によって練り容器内を転がりながら、延ばされる。
【００４１】
まず、第１の実施形態について説明する。図５、図６は第１の実施形態を示す図である。図５は従来の羽根９の先端部分にシリコンゴムのように適度な弾性、粘弾性と耐熱性をもった平板の部材（翼１）３３ａをネジ３３ｂで保持せした構成を示している。この羽根９は、図６に示すように、チョコレート等の粘性の高いペースト状の材料を加熱攪拌するときに、羽根９の先端が練り容器７の内側面に接する構成となっている。
【００４２】
次に、第２の実施形態について説明する。図７、図８は第２の実施形態を示す図である。第２の実施形態によれば、図７に示すように、図５の構成に加えてリブ３３ｃを加えた構成をとる。平板の部分３３ａが羽根９に保持される面が異なるが、図３に示した構造と同じでも構わない。
【００４３】
リブ３３ｃがあることで、羽根が回転したときに平板の部分３３ａがチョコレート等に抵抗力を最も受ける方向すなわち平板の部分３３ａを平板と考えたときの面に垂直な方向の強度がアップする効果がある。平板の部分３３ａは適度な粘弾性を有するので練り容器の内面形状が多少複雑でも、練り容器の内面に沿って変形することで、羽根９が回転しても練り容器内面に接触しやすいが、リブで強度を上げることにより練り容器短径で平板の部分３３ａが大きく変形したときの腰折れを抑制できる効果がある。
【００４４】
第３の実施形態によれば、図９に示すように、第１の実施形態の構成に加えて練り容器７の底面に接触する部材として翼３３ｄを設けた構成とする。これにより練り容器７の底面の食材もこそぎながら加熱攪拌調理できる。翼３３ｄの練り容器７の底面側は練り容器７の底面に接触するよう構成されている。
【００４５】
第４の実施形態によれば、図１１に示すように、全体が適度な粘弾性と耐熱性を有するシリコンゴムで構成される羽根３４を有する。羽根３４は練り容器の側面に接触する構成とする。羽根３４が練り容器７の底面に接触しても構わない。この構成とすると、一つの材料を成型できるので製造が容易、洗浄時の取り扱いが容易（練り容器を傷つけ難い）である。また、羽根３４が接触する練り容器の側面は底面に対して９０°に近い角度を持った面を含むものとする。
【００４６】
第５の実施形態によれば、１３の断面図に示すように、羽根３５は羽根３４と同様に適度な粘弾性と耐熱性を有するシリコンゴムで構成される。羽根３５は羽根の回転軸４１と適度に圧入可能で勘合するような構成とする。このような構成をとることにより、回転軸への着脱が容易になる。
【００４７】
第６の実施形態によれば、図１５に示すような適度な粘弾性と耐熱性を有し、勘合用の突起を有するシリコンゴムの部材３３ｅと図１６に示すような従来の羽根の先端近傍に３３ｅと勘合せしめるための穴部を有する羽根９ａから構成される。３３ｅの突起を羽根９ａの穴部に勘合させると図１７のようになる。このような構成とすることにより、従来の羽根９をベースに使用できるため、コンパクトで収納しやすく、材料も少なくて済み、ネジ等が必要なく着脱が容易、洗浄し易い。
【００４８】
第７の実施形態によれば、図１８に示すような上部に返し部材３６ａを有する構成とする。このような構造とすることにより、食材の上部への飛散抑制の効果がある。
【００４９】
第８の実施形態によれば、図１９に示すように、回転軸から異なる方向に分岐して長さが異なる翼３７ａと翼３７ｂを有する構成とする。これにより練り容器７の側面に付着した食材をこそぎとる機会が増加する効果がある。また、片方の翼３７ａの長さを練り容器長径に、片方の翼３７ｂの長さを練り容器短径に合わせることによって、より適当な接触圧にて練り容器内面にどちらかの翼が接することになるので食材のこそぎ漏れを抑制できる。
【００５０】
第９の実施形態によれば、図２１に示すように、同じ方向に長さが異なる翼３８ａと３８ｂをもつ羽根３８を有する構成とする。第８の実施形態と同様の効果が得られる他、第８の実施形態よりコンパクトである。
【００５１】
第１０の実施形態によれば、図２３に示すように、翼に孔状開口部分３９ａや櫛状開口部分３９ｂをもつ羽根３９を有する構成とする。このような構成をとることにより、羽根が回転したときの食材の抵抗力を緩和することができるだけでなく、食材をより攪拌できる効果がある。
【００５２】
第１１の実施形態によれば、図２５に示すように、着脱のときに手で掴むための取手４０ａをもつ羽根４０を有する構成とする。取手４０ａを支える柄４０ｂはリブ等で強度をアップしてあることが望ましい。このような構成をとることにより、加熱攪拌調理の後に簡単に手を汚さずに羽根を取り除くことができる。
【産業上の利用可能性】
【００５３】
本実施例装置では、家庭等で広く使われている自動製パン器等に適用可能である。
【符号の説明】
【００５４】
７・・・練り容器
９・・・羽根
３３ａ・・・平板の部分
３３ｂ・・・ネジ
３３ｃ・・・リブ
３３ｄ・・・翼
３４・・・羽根
３５・・・羽根
３６ａ・・・返し部材
３７ａ・・・翼
３７ｂ・・・翼
３８ａ・・・翼
３８ｂ・・・翼
３９ａ・・・孔状開口部分
３９ｂ・・・櫛状開口部分
４０ａ・・・取手
４０ｂ・・・柄
【図１】
0005903554.tif 000002
【図２】
0005903554.tif 000003
【図３】
0005903554.tif 000004
【図４】
0005903554.tif 000005
【図５】
0005903554.tif 000006
【図６】
0005903554.tif 000007
【図７】
0005903554.tif 000008
【図８】
0005903554.tif 000009
【図９】
0005903554.tif 000010
【図１０】
0005903554.tif 000011
【図１１】
0005903554.tif 000012
【図１２】
0005903554.tif 000013
【図１３】
0005903554.tif 000014
【図１４】
0005903554.tif 000015
【図１５】
0005903554.tif 000016
【図１６】
0005903554.tif 000017
【図１７】
0005903554.tif 000018
【図１８】
0005903554.tif 000019
【図１９】
0005903554.tif 000020
【図２０】
0005903554.tif 000021
【図２１】
0005903554.tif 000022
【図２２】
0005903554.tif 000023
【図２３】
0005903554.tif 000024
【図２４】
0005903554.tif 000025
【図２５】
0005903554.tif 000026
【図２６】
0005903554.tif 000027